(57)【要約】      （修正有）【課題】講演者の端末と聴講者の端末とが通信可能に接続された講演システムにおいて、講演の進行を妨害しないスムーズ且つ適切な質疑応答の実施を可能とする。【解決手段】講演用の端末と、この講演用の端末と通信可能に接続された少なくとも一台の質問用の端末とで構成される講演システムにおいて、前記質問用の端末は、自身の識別情報を前記講演用の端末に送信する識別情報送信手段を備え、前記講演用の端末は、講演に用いる画像データを表示する表示手段と、前記識別情報送信手段により送信された識別情報を前記表示手段において表示中の画像データと対応付けて記憶する識別情報記憶手段と、前記識別情報記憶手段で記憶された識別情報を前記表示手段に表示する識別情報表示手段と、を備える。【選択図】図１
2012256208.tif 000002
【特許請求の範囲】
【請求項１】
講演用の端末と、この講演用の端末と通信可能に接続された少なくとも一台の質問用の端末とで構成される講演システムにおいて、
前記質問用の端末は、
自身の識別情報を前記講演用の端末に送信する識別情報送信手段を備え、
前記講演用の端末は、
講演に用いる画像データを表示する表示手段と、
前記識別情報送信手段により送信された識別情報を前記表示手段において表示中の画像データと対応付けて記憶する識別情報記憶手段と、
前記識別情報記憶手段で記憶された識別情報を前記表示手段に表示する識別情報表示手段と、
を備えることを特徴とする講演システム。
【請求項２】
前記識別情報表示手段は、前記識別情報記憶手段で記憶された識別情報を前記表示手段に表示中の画像データと共に当該表示手段に表示することを特徴とする請求項１に記載の講演システム。
【請求項３】
前記識別情報表示手段は、前記表示手段で表示中のスライド画像に対応した識別情報のみを表示することを特徴とする請求項１または請求項２に記載の講演システム。
【請求項４】
前記講演用の端末は、
前記識別情報記憶手段で記憶する識別情報に対応している画像データを所定のタイミングで再度表示する再表示手段をさらに備えることを特徴とする請求項１から請求項３の何れか一項に記載の講演システム。
【請求項５】
前記講演用の端末は、
前記識別情報送信手段から送られた識別情報の合計数をカウントする識別情報カウント手段を備えることを特徴とする請求項１から請求項４の何れか一項に記載の講演システム。
【請求項６】
前記識別情報カウント手段は、画像データ毎に識別情報の合計数をカウントすることを特徴とする請求項５に記載の講演システム。
【請求項７】
前記識別情報表示手段は、前記識別情報カウント手段によりカウントされた識別情報の合計数を前記画像データと共に前記表示手段に表示することを特徴とする請求項５または請求項６に記載の講演システム。
【請求項８】
前記再表示手段は、前記識別情報カウント手段によりカウントされた画像データ毎の識別情報の合計数に基づいて画像データの再表示を行うことを特徴とする請求項６または請求項７に記載の講演システム。
【請求項９】
前記質問用の端末は、前記講演用の端末から送信される画像データを表示する第２の表示手段をさらに備え、
前記識別情報送信手段は、前記第２の表示手段で表示中の画像データに対応付けて識別情報を送信することを特徴とする請求項１から請求項８の何れか一項に記載の講演システム。
【請求項１０】
前記講演用の端末は、
前記質問用の端末に前記画像データを送信する画像送信手段をさらに備えることを特徴とする請求項９に記載の講演システム。
【請求項１１】
前記講演用の端末はパーソナルコンピュータであることを特徴とする請求項１から請求項１０の何れか一項に記載の講演システム。
【請求項１２】
講演用の表示装置と、この表示装置と通信可能に接続された少なくとも一台の質問用の端末とで構成される講演システムにおける表示装置において、
講演に用いる画像データを表示する表示手段と、
前記質問用の端末から送信される識別情報を受信する識別情報受信手段と、
前記識別情報受信手段により受信された識別情報を前記表示手段において表示中の画像データと対応付けて記憶する識別情報記憶手段と、
前記識別情報記憶手段で記憶された識別情報を前記表示手段に表示する識別情報表示手段と、
を備えることを特徴とする表示装置。
【請求項１３】
講演用端末と、この講演用端末と通信可能に接続された少なくとも一台の質問用端末と、前記講演用端末から送られてくる画像データを投影する投影装置と、で構成される講演システムにおいて、
前記質問用端末は、
自身の識別情報を前記講演用端末に送信する識別情報送信手段を備え、
前記講演用端末は、
前記投影装置に画像データを送信する画像送信手段と、
前記識別情報送信手段により送信された識別情報を、前記投影装置において投影中の画像データと対応付けて記憶する識別情報記憶手段と、
前記識別情報記憶手段で記憶された識別情報を表示させる表示手段と、
を備えることを特徴とする講演システム。
【発明の詳細な説明】
【技術分野】
【０００１】
本発明は、講演システム及びこの講演システムに用いられる表示装置に関するものである。
【背景技術】
【０００２】
近年、教育現場や会社における講演者が多数の聴講者に向けて講演を行う場において、様々な講演の形態が存在している。例えば、特開２００１−１００７１６号公報（特許文献１）には、講演の内容を共有化するために、聴講者各々にパーソナルコンピュータ等の端末を与え、これらの端末と講演者の端末とを通信接続することで講演者の端末から聴講者の端末に資料を送信するシステムが開示されている。さらに、特開２００５−２０２７５４号公報（特許文献２）には、講演者の端末であるパーソナルコンピュータで作成された資料を直接スクリーンに拡大表示するプロジェクタを接続するプレゼンテーションシステムが提案されている。
【０００３】
以上のように構成されたシステムを用いた講演を行う際の質疑応答に関しては、通常、一連の講演が行われた後にまとめて質疑応答の時間をとることが多い。このような場合、聴講者から質問が行われると、その都度講演者は講演に使用した資料の中からその質問に対応する資料を探さなければならず、スムーズに質疑応答が始まらないという問題があった。
【０００４】
この問題を解決する発明として、例えば、特開２００２−３５１４３４号公報（特許文献３）では、聴講者各々に自身の識別情報を発信することのできる簡易的な端末を配置し、講演者の端末においてこの識別情報を受信すると、そのときに表示されていた画像情報をこの識別情報と関連付けて記憶する画像表示システムが提案されている。
【０００５】
この発明によれば、講演者が複数の画像を順次表示させながら講演を行っている間に聴講者が識別情報を送信すると、講演終了後の質疑応答時に識別情報が送信されたときに表示されていた画像を再表示することができる。
【先行技術文献】
【特許文献】
【０００６】
【特許文献１】特開２００１−１００７１６号公報
【特許文献２】特開２００５−２０２７５４号公報
【特許文献３】特開２００２−３５１４３４号公報
【発明の概要】
【発明が解決しようとする課題】
【０００７】
しかしながら、上述のような質疑応答の講演システムを使用した場合、講演者は講演中においてどのような質問がどの画像に関して何件くらいきているのかなどの情報を全く知ることができず、講演終了後の質疑応答時になって初めて質問の内容を把握することになる。そのため講演者は、例えば、質問数に応じて質疑応答の時間配分を調整したり、質問が多くなされた画像に関してはその場で説明を補足したりするといった臨機応変な対応を講演中にすることができず、結果としてこのことが講演の進行を妨げる要因になってしまうという問題があった。
【０００８】
また、質問する聴講者にとっても、特に講演が長時間に及んだり、複数の質問を行ったりする場合には、質疑応答が執り行われるまで自身の行った質問の内容を一々覚えておくことが負担となって講演に集中できない恐れがあった。
【０００９】
したがって、従来の講演における質疑応答の方法では、講演者と聴講者の利害が十分に図れているとは言えず、結果として講演を適切に進行させることのできないものになってしまっていた。
【００１０】
本発明は、以上のような従来の問題点を鑑みてなされたものであり、講演中になされる聴講者の質問を、その場で適宜講演者が把握することのできる講演システムを提供し、この講演システムを用いて適切な質疑応答を行うことを目的としている。
【課題を解決するための手段】
【００１１】
本発明の講演システムは、講演用の端末と、この講演用の端末と通信可能に接続された少なくとも一台の質問用の端末とで構成され、前記質問用の端末は、自身の識別情報を前記講演用の端末に送信する識別情報送信手段を備え、前記講演用の端末は、講演に用いる画像データを表示する表示手段と、前記識別情報送信手段により送信された識別情報を前記表示手段において表示中の画像データと対応付けて記憶する識別情報記憶手段と、前記識別情報記憶手段で記憶された識別情報を前記表示手段に表示する識別情報表示手段と、を備えることを特徴とする。
【００１２】
そして、本発明の講演システムにおいて、前記識別情報表示手段は、前記識別情報記憶手段で記憶された識別情報を前記表示手段に表示中の画像データと共に当該表示手段に表示することが好ましい。
【００１３】
また、本発明の講演システムにおいて、前記識別情報表示手段は、前記表示手段で表示中のスライド画像に対応した識別情報のみを表示することができる。
【００１４】
さらに、本発明の講演システムにおいて、前記講演用の端末は、前記識別情報記憶手段で記憶する識別情報に対応している画像データを所定のタイミングで再度表示する再表示手段を備えることもある。
【００１５】
そして、本発明の講演システムにおいて、前記講演用の端末は、前記識別情報送信手段から送られた識別情報の合計数をカウントする識別情報カウント手段を備えることが望ましい。
【００１６】
また、本発明の講演システムにおいて、前記識別情報カウント手段は、画像データ毎に識別情報の合計数をカウントすることができる。
【００１７】
さらに、本発明の講演システムにおいて、前記識別情報表示手段は、前記識別情報カウント手段によりカウントされた識別情報の合計数を前記画像データと共に前記表示手段に表示することもある。
【００１８】
そして、本発明の講演システムにおいて、前記再表示手段は、前記識別情報カウント手段によりカウントされた画像データ毎の識別情報の合計数に基づいて画像データの再表示を行うことが好ましい。
【００１９】
また、本発明の講演システムにおいて、前記質問用の端末は、前記講演用の端末から送信される画像データを表示する第２の表示手段をさらに備え、前記識別情報送信手段は、前記第２の表示手段で表示中の画像データに対応付けて識別情報を送信することができる。
【００２０】
さらに、本発明の講演システムにおいて、前記講演用の端末は、前記質問用の端末に前記画像データを送信する画像送信手段を備えることもある。
【００２１】
そして、本発明の講演システムにおいて、前記講演用の端末はパーソナルコンピュータであることが望ましい。
【００２２】
また、本発明の表示装置は、講演用の表示装置と、この表示装置と通信可能に接続された少なくとも一台の質問用の端末とで構成される講演システムにおける表示装置において、講演に用いる画像データを表示する表示手段と、前記質問用の端末から送信される識別情報を受信する識別情報受信手段と、前記識別情報受信手段により受信された識別情報を前記表示手段において表示中の画像データと対応付けて記憶する識別情報記憶手段と、前記識別情報記憶手段で記憶された識別情報を前記表示手段に表示する識別情報表示手段と、を備えることを特徴とする。
【００２３】
さらに、本発明の講演システムは、講演用端末と、この講演用端末と通信可能に接続された少なくとも一台の質問用端末と、前記講演用端末から送られてくる画像データを投影する投影装置と、で構成される講演システムにおいて、前記質問用端末は、自身の識別情報を前記講演用端末に送信する識別情報送信手段を備え、前記講演用端末は、前記投影装置に画像データを送信する画像送信手段と、前記識別情報送信手段により送信された識別情報を、前記投影装置において投影中の画像データと対応付けて記憶する識別情報記憶手段と、前記識別情報記憶手段で記憶された識別情報を表示させる表示手段と、を備えることを特徴とする。
【発明の効果】
【００２４】
本発明によれば、講演者及び聴講者にとってスムーズな質疑応答を行うことのできる講演システムを提供することができる
【図面の簡単な説明】
【００２５】
【図１】本実施の形態における講演システムの構成を示す概念図。
【図２】本実施の形態における講演用端末１００の回路構成を示すブロック図。
【図３】質問テーブルＴ１０の一例を示す概念図。
【図４】講演用端末１００の表示部に表示される画像の概念図。
【図５】本実施の形態における質問用端末２００の回路構成を示すブロック図。
【図６】質問用端末２００の表示部に表示される画像の概念図。
【図７】本実施の形態における質問用端末２００の動作を説明するためのフローチャート。
【図８】本実施の形態における講演用端末１００の動作を説明するためのフローチャート。
【図９】本実施の形態における質疑応答時に講演用端末１００の表示部に表示される画像の概念図。
【図１０】本講演システムの変形例を示す概念図。
【発明を実施するための形態】
【００２６】
以下本発明を、講演者が操作する講演者用の端末装置（以下、講演用端末と呼称する）と、聴講者が操作する聴講者用の複数の端末（以下、質問用端末と呼称する）とが相互に無線接続された講演システムに適用した場合の一実施の形態について図面を参照して説明する。
【００２７】
図１は、本発明の実施の形態における、講演システムの構成を示すブロック図である。この講演システムは、例えば教室や会議室などの講演会場内に配置された、講演用端末１００と、この講演用端末１００に無線接続された複数の質問用端末２００（２００−Ａ、２００−Ｂ、２００−Ｃ・・・）から構成されている。講演用端末１００は講演者によって操作され、各質問用端末２００は聴講者Ａ、聴講者Ｂ、聴講者Ｃ・・・それぞれが所有しているものか、或いは貸与されているものであり、各聴講者によって操作される。そして、講演用端末１００から送信される講演用のスライド画像を各質問用端末２００で受信、表示することにより講演用のスライド画像を共有し、講演が進行されるものとする。
【００２８】
図１に示すように、講演用端末１００には、他の機器との間で電波による通信が可能な無線通信部１０１が設けられ、また、質問用端末２００にも他の機器との間で電波による通信が可能な無線通信部２０１が設けられていて、講演用端末１００と質問用端末２００との間で無線による相互通信が可能となっている。そして、本実施の形態の講演システムにおいては、このように講演用端末１００に複数の質問用端末２００が無線による通信が可能な状態で接続されることにより、講演用端末１００及び複数の質問用端末２００が相互にネットワーク化されているものである。
【００２９】
図２は、講演用端末１００の電気的構成の概略を示すブロック図である。図２に示すように、講演用端末１００は、質問用端末２００と無線通信を可能とする無線通信部１０１と、制御部１０２と、ＨＤＤ（Hard Disk）１０３と、ＲＡＭ（Random Access Memory）１０４と、音声処理部１０５と、映像処理部１０６と、表示部１０７と、ＤＶＤ／ＣＤ−ＲＯＭドライブ１０８と、インターフェイス部１０９とを備え、各々がバス１１０を介して互いに接続されている。
【００３０】
無線通信部１０１には、無線通信処理部１１１が接続されている。そして、前記質問用端末２００からの無線信号は無線通信部１０１で受信され、無線通信処理部１１１で復調されて制御部１０２に送られる。また、質問用端末２００への無線信号は、制御部１０２から無線通信処理部１１１に送られて変調された後、無線通信部１０１から送信される。
【００３１】
制御部１０２は、ＣＰＵ（Central Processing Unit）、ＲＯＭ（Read Only Memory）等で構成され、ＲＯＭに記憶されているブートプログラムやＯＳ（Operating System）等の基本プログラムに基づき、ＲＡＭ１０４に記憶されたプログラムを順次実行して、各種処理等を行うとともに、講演用端末１００本体内の各部の動作を制御する。
【００３２】
さらに、制御部１０２は、後述する質問用端末２００から送られてくる質問用端末２００自身の識別情報を表示中のスライド画像番号と対応付け、ＲＡＭ１０４に記憶させる識別情報記憶部１０２Ａと、この識別情報記憶部１０２Ａで記憶された識別情報の数をスライド画像毎にカウントする識別情報カウント部１０２Ｂを具備している。そして、ＨＤＤ１０３には各種プログラムを実行して作成された講演用のスライド画像や、外部から取り込んだ画像のデータ等が記憶される。
【００３３】
ＲＡＭ１０４は、メインメモリとして使用されるもので、ＤＶＤ／ＣＤ−ＲＯＭから転送されたプログラムやデータを記憶しているとともに、プログラム実行時におけるワークエリアとしても使用される。また、ＲＡＭ１０４は、上述の質問情報記憶部１０２Ａで対応付けられた識別情報とスライド画像番号とを記憶し、さらに、識別情報カウント部１０２Ｂでカウントされたスライド画像毎に質問用端末２００から送られてきた識別情報の合計数をスライド画像番号と対応付けて表示する質問テーブルＴ１０を記憶しており、これらの情報は制御部１０２の指示に従い適宜読み出されるものである。
【００３４】
質問テーブルＴ１０は、表示中のスライド画像に対して聴講者からどのくらいの質問数がきているのかを講演者がリアルタイムで把握するためのテーブルで、この質問テーブルＴ１０は、講演開始時には何も記憶されていない空欄状態であるが、講演が進行するにつれて聴講者が操作する質問用端末２００から無線通信を介して識別情報が送られてくるようになると、識別情報記憶部１０２Ａで記憶され、識別情報カウント部１０２Ｂでカウントされたスライド画像番号に対応した識別情報の合計数を順次更新することで作成され、後述する表示部１０７で表示される。
【００３５】
図３は、例えば本発明の講演システムを利用したある講演においてスライド画像番号１２を表示中に作成された質問テーブルＴ１０を例示したものである。この質問テーブルＴ１０によれば、スライド画像番号２に対して２つの質問が、スライド画像番号５に対して１つの質問が、スライド画像番号６に対して３つの質問が、スライド画像番号９に対して７つの質問が、そして現在表示中のスライド画像番号１２に対して４つの質問がそれぞれ聴講者から寄せられ、また、スライド画像番号１、３、４、７、８、１０、１１には質問が来ていないことを示している。この質問テーブルＴ１０を後述する表示部１０７で表示することにより、講演者は、質問テーブルＴ１０上で随時更新されるスライド画像番号に対応した質問の合計数の状況を確認しながらプレゼンテーションを進行させることができる。
【００３６】
音声処理部１０５は、制御部１０２からの指示に従って、音声データを再生するための処理を行い、音声信号として出力するとともに、この音声信号を再生する図示しないスピーカを含む。
【００３７】
映像処理部１０６は、制御部１０２からの指示に従って各種画像データを生成し、また、生成した画像データに所定の同期信号を付加して、ビデオ信号として表示部１０７に出力するとともに、無線通信部１０１を介して後述する質問用端末２００にも送信する。
【００３８】
表示部１０７は、映像処理部１０６からのビデオ信号に対応する画像を表示する液晶パネル等からなる表示画面を備えている。
【００３９】
ＤＶＤ／ＣＤ−ＲＯＭドライブ１０８は、制御部１０２からの指示に従って、講演用端末１００にセットされたＤＶＤ／ＣＤ−ＲＯＭを駆動し、ＤＶＤ／ＣＤ−ＲＯＭに格納されているプログラムやデータを、バス１１０を介してＲＡＭ１０４に転送する。
【００４０】
インターフェイス部１０９には、キーボード１１２とマウス１１３とが接続される。このインターフェイス部１０９では、キーボード１１２及びマウス１１３と制御部１０２やＲＡＭ１０４との間のデータの授受を制御する。ＨＤＤ１０３は、各種プログラムや後述するフローチャートに示すプログラムや各種データを格納している。
【００４１】
また、上述の映像処理部１０６は、制御部１０２の指示によりＨＤＤ１０３から読み出された講演用のスライド画像信号が送られてくると、該スライド画像信号を調整した上で無線通信処理部１１１を介して無線通信部１０１より各質問用端末２００に送る。
【００４２】
さらに、映像処理部１０６は、制御部１０２の指示によりＲＡＭ１０４から送られてくるスライド画像信号と上述の質問テーブルＴ１０が表示部１０７上に同時に表示されるように画像信号を調整して表示部１０７に送る。
【００４３】
具体的には、映像処理部１０６は、図４に示すように、講演用端末１００における表示部１０７上の映像表示可能領域において、スライド画像と質問テーブルＴ１０が重ならずに表示できるようサイズが調整された画像信号を作成し、表示部１０７に送る。このとき、図４に示したように、スライド画像と質問テーブルＴ１０はお互いが重ならず、且つ互いの領域が予め決められた縦横比に基づいて表示部１０７の映像表示可能領域の中で最大となるように調整されている。
【００４４】
つまり、映像処理部１０６は、講演の進行に伴い順次更新作成される上述のテーブルＴ１０の画像信号が送られてくると、図４に示すように、表示部１０７上の映像表示可能領域内にスライド画像とテーブルＴ１０の両方を同時に表示するように各々の画像信号を上述のように調整して、表示部１０７に送る。なお、表示部１０７のサイズによっては、スライド画像とテーブルＴ１０を重畳表示させ、講演者の選択操作によって表示を切り替えることとした方がより大きいサイズで表示できる。
【００４５】
図５は、質問用端末２００の電気的構成の概略を示すブロック図である。図５に示すように、質問用端末２００は、講演用端末１００と無線通信を可能とする無線通信部２０１と、制御部２０２と、ＨＤＤ（Hard Disk）２０３と、ＲＡＭ（Random Access Memory）２０４と、映像処理部２０５と、表示部２０６と、インターフェイス部２０７とを備え、各々がバス２０８を介して互いに接続されている。
【００４６】
制御部２０２は、ＣＰＵ（Central Processing Unit）、ＲＯＭ（Read Only Memory）等で構成され、ＲＯＭに記憶されているブートプログラムやＯＳ（Operating System）等の基本プログラムに基づき、ＲＡＭ２０４に記憶されたプログラムを順次実行して、各種処理等を行うとともに、質問用端末２００本体内の各部の動作を制御する。ＨＤＤ２０３には、無線通信部２０１を介して外部から取り込んだ画像データ等が記憶される。
【００４７】
ＲＡＭ２０４は、メインメモリとして使用されるもので、質問用端末２００の自身の識別情報や、各種プログラムやデータを格納している。この識別情報は、予め付与された質問用端末２００を識別する固有の番号や、事前に入力された聴講者の氏名などの個別情報である。また、ＲＡＭ２０４は、プログラム実行時におけるワークエリアとしても使用される。
【００４８】
無線通信部２０１には、無線通信処理部２０９が接続されている。そして、講演用端末１００からの無線信号は無線通信部２０１で受信され、無線通信処理部２０９で復調されて制御部２０２に送られる。また、質問用端末２００への無線信号は、制御部２０２から無線通信処理部２０９に送られて変調された後、無線通信部２０１から送信される。
【００４９】
映像処理部２０５は、制御部２０２からの指示に従って各種画像データを生成し、また、生成した画像データに所定の同期信号を付加して、ビデオ信号として表示部２０６に出力する。
【００５０】
具体的には、映像処理部２０５は、制御部２０２の指示により、無線通信部２０１を介して受信し、ＨＤＤ２０３に格納されるスライド画像信号が送られてくると、図６に示すように、スライド画像を聴講者が視認するのに邪魔にならない所定領域（例えば、右下端領域）に「質問ボタン」を配置した画像信号を作成し、表示部２０６に送る。
【００５１】
インターフェイス部２０７には、キーボード２１０とマウス２１１とが接続される。このインターフェイス部２０７では、キーボード２１０及びマウス２１１と制御部２０２やＲＡＭ２０４との間のデータの授受を制御する。ＨＤＤ２０３は、各種プログラムや後述するフローチャートに示すプログラムや各種データを格納している。表示部２０６は、映像処理部２０５からのビデオ信号に対応する画像を表示する液晶パネル等からなる表示画面を備えている。
【００５２】
以上の構成より、講演用端末１００の制御部１０２は、本講演において用いるスライド画像を講演者の操作に応じてＨＤＤ１０３から読み出し、映像処理部１０６を介して上述のようにビデオ信号を生成させて表示部１０７に送るとともに、当該スライド画像信号を無線通信部１０１を介して各質問用端末２００にも送る。
【００５３】
そして、無線通信部２０１を介してスライド画像信号を受信した質問用端末２００の制御部２０２は、当該スライド画像信号を映像処理部２０５に送り、所定位置に「質問ボタン」を配置したビデオ信号を生成し、表示部２０６で表示させる。
【００５４】
したがって、本実施の形態においては、講演用端末１００で表示されるスライド画像と同じスライド画像を複数の質問用端末２００においても同時に表示することができる。そして、講演者は表示中のスライド画像に基づいて講演を行い、一方で、聴講者は自身の質問用端末２００に表示されるスライド画像を見ながら講演を受けることができる。
【００５５】
本実施形態の講演システムにおける質問用端末２００の制御部２０２は、前記ＲＡＭ２０４に記憶されたプログラムに基づき、図７のフローチャートに示すように処理を実行する。すなわち、講演用端末１００からスライド画像信号が送られてきたか否かを常時監視する（ステップＳＡ１）。スライド画像信号を受信すると（ステップＳＡ１／Ｙ）、受信したスライド画像を上述の映像処理部２０５に送り、スライド画像とともに所定の位置に質問ボタンを配置した画像信号を生成させる（ステップＳＡ２）。続いて生成した画像信号を表示部２０６へ送り、表示画面上に表示する（ステップＳＡ３）。
【００５６】
したがって、質問用端末２００において表示されるスライド画像には、図６に示したように常にスライド画像とともに表示画面右下端領域に「質問ボタン」が配置されることになる。また、このように講演用端末１００において表示されるスライド画像と同じスライド画像を質問用端末２００でも表示することから、聴講者は、講演中において自分の質問用端末２００に表示されるスライド画像を見ながら講演者の説明を受けることができる。
【００５７】
続いて、制御部２０２は、講演の最中に聴講者によって「質問ボタン」が押されたか否か監視する（ステップＳＡ４）。「質問ボタン」が押されると（ステップＳＡ４／Ｙ）、制御部２０２は、ＲＡＭ２０４から自身の端末の識別情報を読み出して無線通信部２０１を介して講演用端末１００へ送信する（ステップＳＡ５）。すなわち、聴講者は、質問を行う際に、自身の質問用端末２００に表示されている画面右下端領域に配置される「質問ボタン」をマウス等を用いて選択するだけで、講演の進行を妨げることなく簡易に質問の意思を講演者に伝えることができる。
【００５８】
また、制御部２０２は、前動作のステップＳＡ１において、スライド画像信号を受信しない場合は（ステップＳＡ１／Ｎ）、ステップＳＡ４に進み、「質問ボタン」が選択されたかどうかを判断し、「質問ボタン」が選択されない場合は（ステップＳＡ４／Ｎ）、再びステップＳＡ１にもどり、スライド画像信号を受信したか否かの監視を行う。つまり、制御部２０２は、講演が行われている間は、ステップＳＡ１でスライド画像信号の受信があってもなくても、常に「質問ボタン」が押されたか否かを監視する。このようにすることで、質問用端末２００を操作する聴講者は、講演中の任意のタイミングで上述の手順で質問情報を講演用端末１００に送信することができる。
【００５９】
講演用端末１００の制御部１０２は、ＲＯＭに記憶されたプログラムに基づき、図８のフローチャートに示すように処理を実行する。すなわち、制御部１０２はまず講演に使用されるスライド画像を読み出す（ステップＳＢ１）。次に読み出されたスライド画像信号を質問用端末２００へ一斉送信する（ステップＳＢ２）。続いて、質問用端末２００から識別情報が送られてきたか否かを判定し（ステップＳＢ３）、識別情報を受信した場合には（ステップＳＢ３／Ｙ）、上述の識別情報記憶部１０２Ａにより識別情報と表示中のスライド画像番号を対応付けてＲＡＭ１０４に記憶する（ステップＳＢ４）。そして、識別情報カウント部１０２Ｂにて送られてきた識別情報の合計数をスライド画像毎にカウントし（ステップＳＢ５）、ＲＡＭ１０４に格納されている質問テーブルＴ１０の情報を更新する（ステップＳＢ６）。
【００６０】
さらに、映像処理部１０６に、スライド画像及び質問テーブルＴ１０を表示部１０７上に同時に表示するよう画像信号を調整させ、図４に示したようにスライド画像及び質問テーブルＴ１０を表示部１０７上に同時表示させる（ステップＳＢ７）。一方で、上記ステップＳＢ３で識別情報の受信なしと判断された場合には（ステップＳＢ３／Ｎ）、そのままステップＳＢ７へと進み、更新されていない質問テーブルＴ１０をスライド画像と同時表示させる。
【００６１】
したがって、講演用端末１００は、講演開始後に聴講者の操作する質問用端末２００から識別情報が送られてくるまでの間は質問テーブルＴ１０は空欄のままであるが、講演が進行するにつれて、質問用端末２００から識別情報が送られてくるとステップＳＢ３の判断がＹＥＳとなり、ステップＳＢ５でカウントされる識別情報の合計数に基づいてＲＡＭ１０４に格納される質問テーブルＴ１０の内容を更新してスライド画像と同時に表示部１０７上に表示する。
【００６２】
続いて、制御部１０２は、講演者によって表示中のスライド画像の切り替え操作が行われたか否かを監視する（ステップＳＢ８）。スライド画像の切り替え操作が行われなければ（ステップＳＢ８／Ｎ）、ステップＳＢ３に戻り、再び質問用端末２００から識別情報が送られてくるか否かを監視する。スライド画像の切り替え操作が行われると（ステップＳＢ８／Ｙ）、切り替えるスライド画像が残っているか否か、換言すると、全てのスライド画像の読み出しが終了したか否かを判定する（ステップＳＢ９）。
【００６３】
ステップＳＢ９で全てのスライド画像の読み出しが終了していなければ（ステップＳＢ９／Ｎ）、ステップＳＢ１に戻り次のスライド画像を読み出し、再びステップＳＢ２以降の処理を繰り返す。したがって、講演者は、講演中は表示部１０７上に表示されるスライド画像及び質問テーブルＴ１０を見ながら講演を行うことができる。聴講者の操作する質問用端末２００から上述の手順で識別情報を受信した際には、質問テーブルＴ１０に表示される識別情報の合計数の数がリアルタイムで上書き更新されるため、即時に質問の状況を把握することができる。
【００６４】
その結果、講演者は、質問テーブルＴ１０を視認しながら講演を行うことで、例えば、質問の多いスライド画像に対しては補足説明を行うことや、全体の質問数に応じて、講演を通して全体の質問数が多い場合は講演を短めにして質疑応答にかける時間を長くとり、逆に質問数が少ない場合は講演を長めにして質疑応答にかける時間を短くするなど、講演中に質問状況に応じた即時且つ臨機応変な対応が可能となる。
【００６５】
一方で全てのスライド画像の読み出しが終了していれば（ステップＳＢ９／Ｙ）、引き続いて質疑応答の処理に移ることになる。すなわち、ステップＳＢ１０においては、上述のステップＳＢ５においてカウントされたスライド画像毎の識別情報の合計数に基づいて、識別情報の合計数が多い順に、すなわち質問の数が多い順にスライド画像を順次読み出していく。図３の質問テーブルＴ１０に示した質問状況においては、最も質問数が多いスライド画像７から、スライド画像１２、スライド画像６、スライド画像２、スライド画像５の順でスライド画像が再度表示されることになる。この質疑応答時に再度読み出されたスライド画像を表示部１０７にて表示する際には、図９に示すように、スライド画像に加えて該当するスライド画像に対して識別情報を送信した質問端末２００の識別情報（端末番号や質問者の氏名等）も表示される。
【００６６】
したがって、講演者は、自ら探さなくとも質問に対応したスライド画像を見つけることができ、且つ、そのスライド画像と同時に表示される識別情報に基づいて質問を行った聴講者を容易に特定することができ、スムーズな質疑応答を実施することができる。
【００６７】
質疑応答のために再度読み出されたスライド画像信号は質問用端末２００にも再度送信される（ステップＳＢ１１）。このようにすることで、質問用端末２００においても質問に対応したスライド画像を自動的に表示することができる。そして、講演者の質疑応答時のスライド画像の切り替え操作に対応して、質問テーブルＴ１０に格納されている全てのスライド画像の再表示が終了するまで、順次識別情報の合計数が多い順にスライド画像を表示していき（ステップＳＢ１２／Ｎ）、質問に対応した全てのスライド画像の再表示が終了すると（ステップＳＢ１２／Ｙ）、質疑応答を含めた全講演が終了となる。
【００６８】
以上のように、講演者は講演中にリアルタイムで更新される質問テーブルＴ１０に表示される質問の状況に基づいて質問の多いスライド画像に対しては説明を強化するなどの対応を行うことができ、さらに、講演の進行度合、残り時間などを考慮して適切なタイミングで質疑応答に移ることができる。また、仮に残り時間等の問題で質問のあった全てのスライド画像に対して質疑応答を行うことができない場合であっても、質問合計数が多いスライド画像から順に表示することにより、最大限聴講者のニーズに合った質疑応答を提供することができるものである。
【００６９】
なお、本実施の形態においては、質問用端末２００から識別情報が送られてきた際には、その識別情報と表示中のスライド画像番号を対応付けて記憶し、さらにスライド画像毎に識別情報の合計数をカウントする構成としたが、識別情報の合計数は必ずしもカウントする必要はない。すなわち、質問テーブルＴ１０には識別情報記憶部１０２Ａで記憶された識別情報をスライド画像番号と対応付けた形で表示する構成としてもよい。或いは、表示中のスライド画像に対して送信された識別情報のみを表示する構成としてもよい。いずれの構成にしても、講演者は質問の状況を講演中にリアルタイムで把握することが可能となる。
【００７０】
さらに、本実施の形態においては、質問用端末２００から識別情報が送られてきた際に、識別情報記憶部１０２Ａはその識別情報を表示中のスライド画像と対応付けて記憶することとしたが、表示中のスライド画像だけでなく、その前後数枚のスライド画像番号も対応付けて記憶する構成としてもよい。
【００７１】
また、本実施の形態においては、質問時に聴講者は質問用端末２００を操作して自身の識別情報を講演者用端末１００に送信する構成としたが、これに加えて質問の内容をキーボードを用いたテキスト入力やタッチペン入力等で入力し、送信できる構成としてもよい。このようにすることで、講演者はより詳細に質問内容を把握することができる。さらに、聴講者は自身の行った質問内容を質問用端末２００で入力しておくことで、質疑応答時に質問の内容を忘れてしまう事態を避けることができる。
【００７２】
また、最初のスライド画像が表示されている間は、質問テーブルＴ１０を表示しない構成としてもよい。これは、多くの講演の場合、最初のスライド画像にはタイトルやプロフィール等の情報が記載されているため、聴講者に質問が生じる機会がほぼ無いと判断されるためである。
【００７３】
また、講演用端末１００において質問テーブルＴ１０に記載される各スライド画像毎の合計質問数をさらに合算し、全質問数として表示してもよい。このようにすることで講演者は全体の質問数から講演の進行を調整することができる。
【００７４】
さらに、１つの質問に対して質疑応答に要する時間を、例えば「２分」と予め設定しておくことで、全体の質問に対して質疑応答に要する時間を概算することができ、講演者はより正確に講演の進行を調整することが可能となる。
【００７５】
加えて、識別情報送信時に当該質問の重要度を選択できる構成としてもよい。このようにすることで、質問を受け付けた講演者は回答する質問に優先順位をつけることができ、より重要度の高い質問から答えていくことで限られた講演の時間を有効に使うことができる。一方で聴講者は、どうしても回答して欲しい質問は重要度を高く設定すればよいし、あまり重要でない質問であっても、重要度を低く設定することで気軽に質問することができる。
【００７６】
また、質問用端末２００は、一度識別情報を送信した後に、ユーザーの操作に応じて送信済みの識別情報の削除を講演用端末１００へ依頼する信号を送信することができることとしてもよい。講演用端末１００は、この削除信号に応じてＲＡＭ１０４に記憶されている該当識別情報を削除することができる。
【００７７】
また、本実施の形態によれば、講演者の操作する講演用端末１００と、聴講者の質問用端末２００とを無線を介して接続することで、遠隔地にいる参加者も講演に参加することが可能である。
【００７８】
また、本実施の形態においては、講演用端末１００と質問用端末２００は無線通信を介して接続されているものとしたが、これ限らず、例えばＬＡＮ回線などによって有線接続されているものとしてもよい。
【００７９】
また、本実施の形態においては、質問情報を搭載した質問テーブルＴ１０は講演用端末１００の表示部１０７上に表示される構成としたが、それに限らず、当該質問テーブルＴ１０を無線通信を介して質問用端末２００に送信し、質問用端末２００においても表示可能な構成としてもよい。
【００８０】
また、本実施の形態におけるプレゼンテーションシステムにおいては、表示手段として表示画面を備える講演用端末１００及び質問用端末２００からなる構成としたが、これに限らず、例えば図１０に示すように講演用端末１００にプロジェクタ３００が接続されている構成としてもよい。この場合、講演用端末１００は、スライド画像をプロジェクタ３００を介して壁面等に投影することでスライド画像を講演者及び聴講者の間で共有することができ、聴講者の質問用端末２００はスライド画像を表示する必要は必ずしもない。このような構成にすることで、聴講者の使用する質問用端末２００はより簡易な端末にすることができるものである。
【００８１】
以下に、本願の出願当初の特許請求の範囲に記載された発明を付記する。
〔付記〕
請求項１に記載の発明は、講演用の端末と、この講演用の端末と通信可能に接続された少なくとも一台の質問用の端末とで構成される講演システムにおいて、前記質問用の端末は、自身の識別情報を前記講演用の端末に送信する識別情報送信手段を備え、前記講演用の端末は、講演に用いる画像データを表示する表示手段と、前記識別情報送信手段により送信された識別情報を前記表示手段において表示中の画像データと対応付けて記憶する識別情報記憶手段と、前記識別情報記憶手段で記憶された識別情報を前記表示手段に表示する識別情報表示手段と、を備えることを特徴とする。
【００８２】
請求項２に記載の発明は、上記請求項１に記載の発明において、前記識別情報表示手段は、前記識別情報記憶手段で記憶された識別情報を前記表示手段に表示中の画像データと共に当該表示手段に表示することを特徴とする。
【００８３】
請求項３に記載の発明は、上記請求項１または上記請求項２に記載の発明において、前記識別情報表示手段は、前記表示手段で表示中のスライド画像に対応した識別情報のみを表示することを特徴とする。
【００８４】
請求項４に記載の発明は、上記請求項１から上記請求項３の何れか一項に記載の発明において、前記講演用の端末は、前記識別情報記憶手段で記憶する識別情報に対応している画像データを所定のタイミングで再度表示する再表示手段をさらに備えることを特徴とする。
【００８５】
請求項５に記載の発明は、上記請求項１から上記請求項４の何れか一項に記載の発明において、前記講演用の端末は、前記識別情報送信手段から送られた識別情報の合計数をカウントする識別情報カウント手段を備えることを特徴とする。
【００８６】
請求項６に記載の発明は、上記請求項５に記載の発明において、前記識別情報カウント手段は、画像データ毎に識別情報の合計数をカウントすることを特徴とする。
【００８７】
請求項７に記載の発明は、上記請求項５または上記請求項６に記載の発明において、前記識別情報表示手段は、前記識別情報カウント手段によりカウントされた識別情報の合計数を前記画像データと共に前記表示手段に表示することを特徴とする。
【００８８】
請求項８に記載の発明は、上記請求項６または上記請求項７に記載の発明において、前記再表示手段は、前記識別情報カウント手段によりカウントされた画像データ毎の識別情報の合計数に基づいて画像データの再表示を行うことを特徴とする。
【００８９】
請求項９に記載の発明は、上記請求項１から上記請求項８に記載の発明において、前記質問用の端末は、前記講演用の端末から送信される画像データを表示する第２の表示手段をさらに備え、前記識別情報送信手段は、前記第２の表示手段で表示中の画像データに対応付けて識別情報を送信することを特徴とする。
【００９０】
請求項１０に記載の発明は、上記請求項９に記載の発明において、前記講演用の端末は、前記質問用の端末に前記画像データを送信する画像送信手段をさらに備えることを特徴とする。
【００９１】
請求項１１に記載の発明は、上記請求項１から上記請求項１０の何れか一項に記載の発明において、前記講演用の端末はパーソナルコンピュータであることを特徴とする。
【００９２】
請求項１２に記載の発明は、講演用の表示装置と、この表示装置と通信可能に接続された少なくとも一台の質問用の端末とで構成される講演システムにおける表示装置において、講演に用いる画像データを表示する表示手段と、前記質問用の端末から送信される識別情報を受信する識別情報受信手段と、前記識別情報受信手段により受信された識別情報を前記表示手段において表示中の画像データと対応付けて記憶する識別情報記憶手段と、前記識別情報記憶手段で記憶された識別情報を前記表示手段に表示する識別情報表示手段と、を備えることを特徴とする。
【００９３】
請求項１３に記載の発明は、講演用端末と、この講演用端末と通信可能に接続された少なくとも一台の質問用端末と、前記講演用端末から送られてくる画像データを投影する投影装置と、で構成される講演システムにおいて、前記質問用端末は、自身の識別情報を前記講演用端末に送信する識別情報送信手段を備え、前記講演用端末は、前記投影装置に画像データを送信する画像送信手段と、前記識別情報送信手段により送信された識別情報を、前記投影装置において投影中の画像データと対応付けて記憶する識別情報記憶手段と、前記識別情報記憶手段で記憶された識別情報を表示させる表示手段と、を備えることを特徴とする。
【符号の説明】
【００９４】
１００    講演用端末
１０１    無線通信部
１０２    制御部
１０３    ＨＤＤ
１０４    ＲＡＭ
１０５    音声処理部
１０６    映像処理部
１０７    表示部
１０８    ＤＶＤ／ＣＤ−ＲＯＭドライブ
１０９    インターフェイス
１１０    システムバス
１１１    無線通信処理部
１１２    キーボード
１１３    マウス
２００    質問用端末
２０１    無線通信部
２０２    制御部
２０３    ＨＤＤ
２０４    ＲＡＭ
２０５    映像処理部
２０６    表示部
２０７    インターフェイス
２０８    システムバス
２０９    無線通信処理部
２１０    キーボード
２１１    マウス
【図１】
2012256208.tif 000003
【図２】
2012256208.tif 000004
【図３】
2012256208.tif 000005
【図４】
2012256208.tif 000006
【図５】
2012256208.tif 000007
【図６】
2012256208.tif 000008
【図７】
2012256208.tif 000009
【図８】
2012256208.tif 000010
【図９】
2012256208.tif 000011
【図１０】
2012256208.tif 000012